(57)【要約】【課題】２つの収納空間のうち、高いセキュリティが要求される機器が収納された一方の収納空間には容易にアクセスすることができない構造の電気機器収納用箱を提供する。【解決手段】上下または左右に２つの収納空間を備え、各収納空間に各々扉を設けた電気機器収納用箱である。一方の扉３に鎖錠装置５とこの鎖錠装置５を覆う付属部材７とを設ける。付属部材７は固定部１０によって扉３に取付けられたものである。固定部１０は常時は他方の扉４または他方の扉に取付けられた隠蔽部材１４によって隠蔽されており、他方の扉４または隠蔽部材１４を移動させたときにのみ、固定部１０を操作可能とした。【選択図】図２
2016092087.tif 000002
【特許請求の範囲】
【請求項１】
２つの収納空間を備え、各収納空間に各々扉を設けた電気機器収納用箱であって、一方の扉に、鎖錠装置とこの鎖錠装置を覆う付属部材とを設け、この付属部材は固定部によって前記一方の扉に取付けられたものであり、この固定部は常時は他方の扉または他方の扉に取付けられた隠蔽部材によって隠蔽されており、他方の扉または隠蔽部材を移動させたときにのみ固定部を操作可能なものとしたことを特徴とする電気機器収納用箱。
【請求項２】
２つの収納空間が上下に区画されたものであり、前記一方の扉が下部収納空間に設けられた下部扉であり、前記他方の扉が上部収納空間に設けられた上部扉であることを特徴とする請求項１に記載の電気機器収納用箱。
【請求項３】
上部扉と下部扉に各々鍵付きの鎖錠装置を取付け、前記付属部材を下部パネル、前記隠蔽部材を上部パネルとしたことを特徴とする請求項２に記載の電気機器収納用箱。
【請求項４】
前記固定部を下部パネルの上面に形成したことを特徴とする請求項３に記載の電気機器収納用箱。
【発明の詳細な説明】
【技術分野】
【０００１】
本発明は、２つの収納空間を備えた電気機器収納用箱に関するものである。
【背景技術】
【０００２】
電気機器収納用箱はその内部に収納される内部機器の種類が明確に異なる場合に、２つの収納空間を備えたものとすることがある。２つの収納空間は、単一の箱の内部を隔壁によって区画したり、２つの箱を連結したりして形成される。各収納空間にはそれぞれ扉が設けられており、各扉にはそれぞれ鎖錠装置が設けられる。上下方向に区画された複数の収納空間を持つ電気機器収納用箱の一例が、特許文献１に記載されている。
【０００３】
２つの収納空間を持つ電気機器収納用箱においては、一方の収納空間には高いセキュリティが要求される重要機器、ユーザーが操作する必要がないか操作頻度の低い機器、絶縁が必要な機器などを収納し、他方の収納空間には高いセキュリティが要求されない機器、ユーザーが操作する機器、使用頻度の高い機器等を収納している。
【０００４】
このような場合、各収納空間の鎖錠装置の鍵を別々のものとして管理すればよいが、管理が煩雑となる。しかし鍵を共通にすると高いセキュリティが要求される機器が収納された収納空間へのアクセスが容易となってしまうという問題があった。
【先行技術文献】
【特許文献】
【０００５】
【特許文献１】特開平１０−２５７６１３号公報
【発明の概要】
【発明が解決しようとする課題】
【０００６】
従って本発明の目的は上記した従来の問題点を解決し、２つの収納空間を備え、高いセキュリティが要求される機器が収納された一方の収納空間には容易にアクセスすることができないようにした電気機器収納用箱を提供することである。
【課題を解決するための手段】
【０００７】
上記の課題を解決するためになされた本発明は、２つの収納空間を備え、各収納空間に各々扉を設けた電気機器収納用箱であって、一方の扉に、鎖錠装置とこの鎖錠装置を覆う付属部材とを設け、この付属部材は固定部によって前記一方の扉に取付けられたものであり、この固定部は常時は他方の扉または他方の扉に取付けられた隠蔽部材によって隠蔽されており、他方の扉または隠蔽部材を移動させたときにのみ固定部を操作可能なものとしたことを特徴とするものである。
【０００８】
なお請求項２のように、２つの収納空間が上下に区画されたものであり、前記一方の扉が下部収納空間に設けられた下部扉であり、前記他方の扉が上部収納空間に設けられた上部扉である構造とすることができる。この場合、請求項３のように上部扉と下部扉に各々鍵付きの鎖錠装置を取付け、前記付属部材を下部パネル、前記隠蔽部材を上部パネルとした構造とすることができる。また請求項４のように、前記固定部を下部パネルの上面に形成した構造とすることができる。
【発明の効果】
【０００９】
本発明の電気機器収納用箱は、片側の収納空間（他方の収納空間）の扉は鍵を用いて容易に開くことができる。しかし反対側の収納空間（一方の収納空間）にアクセスするには、他方の扉または隠蔽部材を移動させて固定部を操作し、付属部材を取り除いたうえで鎖錠を解除する必要がある。このように複数の作業を経なければ反対側の収納空間（一方の収納空間）にアクセスすることができないので、セキュリティを向上させることができる。
【００１０】
請求項３のように、付属部材を下部パネル、隠蔽部材を上部パネルとした構造とすれば、意匠部材がセキュリティ向上用部材としても機能することとなる。これらのパネルを交換するだけで各種のデザインの電気機器収納用箱とすることができる。また請求項４のように固定部を下部パネルの上面に形成した構造とすれば、構造が簡単であって付属部材である下部パネルの着脱が容易となる。
【図面の簡単な説明】
【００１１】
【図１】実施形態の電気機器収納用箱を示す全体斜視図である。
【図２】全体の分解斜視図である。
【図３】上部扉を開いた状態を示す斜視図である。
【図４】付属部材である下部パネルを取外した状態を示す斜視図である。
【発明を実施するための形態】
【００１２】
以下に本発明の実施形態を示す。
図１は実施形態の電気機器収納用箱を示す全体斜視図であり、上側の箱体１と下側の箱体２とを連結して２つの収納空間を形成した構造である。しかし共通の箱体の内部を隔壁により上下または左右に区画して２つの収納空間を形成しても差し支えがなく、本発明はその何れをも含むものである。なお、請求項の文言と一致させるため、以下の説明では下側を一方、上側を他方と記す。
【００１３】
図２に示すように、一方の収納空間の前面には下部扉３が設けられており、他方の収納空間の前面には上部扉４が設けられている。前記したように、一方の収納空間には高いセキュリティが要求される重要機器（例えば制御機器）、ユーザーが操作する必要がないか操作頻度の低い機器、絶縁が必要な機器（例えば分電盤・配電盤機器）などが収納される。他方の収納空間には、高いセキュリティが要求されない機器、ユーザーが操作する機器（例えばコンセント）、使用頻度の高い機器等が収納される。このような配置とすれば、重量の大きい制御機器、分電盤・配電盤機器などが下側に来るので、安定性や耐震性の点で好ましい。
【００１４】
下部扉３には鎖錠装置５が設けられており、上部扉４にも鎖錠装置６が設けられている。これらは通常の鍵を用いて施錠・開錠を行うドアハンドルである。鍵は共通であっても、上下別であってもよい。なお下部扉３の鎖錠装置５は必須であるが、上部扉４の鎖錠装置６は省略することもできる。
【００１５】
一方の扉である下部扉３には、鎖錠装置５の他にこの鎖錠装置５の前面を覆う付属部材７が取付けられている。この実施形態では付属部材７は下部パネルである。付属部材７は下部扉３の前面の左右に設けた取付レール８の下部スリット９に裏面のフック（図示せず）落とし込むように引っ掛け、付属部材７の上辺に形成された固定部１０であるねじ挿通孔にねじ１１を挿入し、取付レール８の上端のねじ孔１２に締結することによって固定されている。
【００１６】
しかし付属部材７は、遮光板や盤用冷却装置など、鎖錠装置５の前面を覆うことができるものであれば任意の部材を用いることができる。また固定部１０の構造も任意であり、ねじ以外の様々な固定手段を用いることができる。この実施形態では付属部材７である下部パネルの上部は斜めに切り欠かれ、ランプ１３を露出させてある。
【００１７】
他方の扉である上部扉４の鎖錠装置６は外部に露出させてあり、その内部の収納空間に容易にアクセスできるようになっている。この実施形態では上部扉４の前面に、固定部１０の隠蔽部材１４として機能する上部パネルが取付けられている。この隠蔽部材１４は、図１のように上部扉４を閉じた状態では固定部１０を隠蔽してその操作ができないようにするための部材である。上部パネルは外部から取り外せないように、上部扉４の内側からねじ止めされている。
【００１８】
隠蔽部材１４として上部パネルを用いれば、様々なデザインのものを用意して取付けることにより、意匠的効果を発揮させることができる。また化粧パネルの表面に様々なシールを貼ったものとすることもできる。しかし遮光板や盤用冷却装置など、上部扉４がとじている常時は固定部１０を隠蔽し、上部扉４を開いたときにのみ固定部１０を操作可能なものであれば、任意の構造とすることができる。なお隠蔽部材１４を省略し、上部扉４で固定部を隠蔽させることも可能である。
【００１９】
このように構成された本発明の電気機器収納用箱は、他方の収納空間にアクセスするためには、まず図３に示すように上部扉４の鎖錠装置６を開け、上部扉４を開くことによって固定部１０を露出させる。次に図４に示すように固定部１０を操作して付属部材７である下部パネルを取外す。これによって図２のように下部扉３の鎖錠装置５が露出するので、鍵を用いて鎖錠を解除し、下部扉３を開くことができる。このように複数の手順を踏まないと他方の収納空間にアクセスすることができないため、そのセキュリティを高めることができる。
【００２０】
上記した実施形態では、上部扉４を開くことによって固定部１０を露出させた。しかし上部扉４を開くことなく、隠蔽部材１４として機能する上部パネルだけを取外して固定部１０を操作し、付属部材７を取外す構造とすることもできる。
【００２１】
下部扉３の鎖錠装置５と上部扉４の鎖錠装置６の鍵を共通にしておけば、鍵の管理が容易になる。また鍵を異ならせておけば、セキュリティを向上させることができる。上部扉４の鎖錠装置６は省略したり、鍵のないラッチのようなものとすることもできるが、その場合であっても複数の手順を踏まないと下部の収納空間にアクセスすることができないため、セキュリティを高めることができる。
【００２２】
なお、左右に２つの収納空間を形成した場合には、扉を観音扉とすることができる。また正面扉と側面扉の組み合わせとすることもできる。これらの場合にも、実施形態と同様に複数の手順を踏まないと他方の収納空間にアクセスすることができないようにして、そのセキュリティを高めることができる。
【符号の説明】
【００２３】
１  上側の箱体
２  下側の箱体
３  下部扉
４  上部扉
５  鎖錠装置
６  鎖錠装置
７  付属部材（下部パネル）
８  取付レール
９  下部スリット
１０  固定部
１１  ねじ
１２  ねじ孔
１３  ランプ
１４  隠蔽部材（上部パネル）
【図１】
2016092087.tif 000003
【図２】
2016092087.tif 000004
【図３】
2016092087.tif 000005
【図４】
2016092087.tif 000006